(57)【要約】【課題】簡単な構造で、コネクタの小型化ができ、感電の恐れの無い電気コネクタを提供する。【解決手段】本目的は、少なくともプラグハウジング１１２とプラグコンタクト１２６とを有するプラグコネクタ１１０と、少なくともレセプタクルハウジング１５２とレセプタクルコンタクト１６６とを有するレセプタクルコネクタ１５０と、が着脱自在に嵌合する電気コネクタ１００であって、レセプタクルコネクタ１５０のレセプタクルコンタクト収容孔１７４内に収容されたレセプタクルコンタクト１６６の先端より嵌合側に近い位置に感電防止部１７６を設け、プラグコネクタ１１０のプラグコンタクト１２６の先端側に感電防止部１７６を逃げるプラグコンタクトスリット１３６が設けることを特徴とする電気コネクタ１００により達成できる。【選択図】  図１
2012182106.tif 000002
【特許請求の範囲】
【請求項１】
プラグコネクタとレセプタクルコネクタが着脱自在に嵌合する電気コネクタであって、
複数のプラグコンタクトと、該プラグコンタクトに接続する導電部材と、前記プラグコンタクトを収容するプラグコンタクト収容孔と前記レセプタクルコネクタの嵌合口内に嵌合するプラグ嵌合部とを持つプラグハウジングと、を有する前記プラグコネクタと、
接続対象物と接続すると共に前記プラグコンタクトと嵌合する複数のレセプタクルコンタクトと、該レセプタクルコンタクトを収容するレセプタクルコンタクト収容孔と前記プラグコネクタのプラグ嵌合部内に嵌合するレセプタクル嵌合部と前記プラグコネクタのプラグ嵌合部と嵌合する嵌合口とを持つレセプタクルハウジングと、を有する前記レセプタクルコネクタと、
を備える電気コネクタにおいて、
前記レセプタクルコネクタの前記レセプタクルコンタクト収容孔内に、収容された前記レセプタクルコンタクトの先端より嵌合側に近い位置に感電防止部が設けられ、
前記プラグコネクタのプラグコンタクトの先端側に、前記レセプタクルコネクタの感電防止部を逃げるスリットが設けられることを特徴とする電気コネクタ。
【請求項２】
プラグコネクタとレセプタクルコネクタが着脱自在に嵌合する電気コネクタであって、
複数のプラグコンタクトと、該プラグコンタクトに接続する導電部材と、前記プラグコンタクトを収容するプラグコンタクト収容孔と前記レセプタクルコネクタの嵌合口内に嵌合するプラグ嵌合部とを持つプラグハウジングと、を有する前記プラグコネクタと、
接続対象物と接続すると共に前記プラグコンタクトと嵌合する複数のレセプタクルコンタクトと、該レセプタクルコンタクトを収容するレセプタクルコンタクト収容孔と前記プラグコネクタのプラグ嵌合部内に嵌合するレセプタクル嵌合部と前記プラグコネクタのプラグ嵌合部と嵌合する嵌合口とを持つレセプタクルハウジングと、を有する前記レセプタクルコネクタと、
を備える電気コネクタにおいて、
前記レセプタクルコネクタの前記レセプタクルコンタクト収容孔内に、収容された前記レセプタクルコンタクトの先端より嵌合側に近い位置に感電防止部が設けられ、
前記プラグコンタクトの前記レセプタクルコンタクトとの接触部付近が略平板状である
ことを特徴とする電気コネクタ。
【請求項３】
前記プラグコネクタには、前記プラグハウジングの外周にカップリングが装着され、
前記カップリングには、前記プラグハウジングを収容するプラグハウジング収容スペースが設けられると共に前記プラグハウジングとの固定手段を有し、
前記プラグハウジングには、前記カップリングとの固定手段を有すると共に前記レセプタクルコネクタとの係合手段を有し、
前記レセプタクルコネクタには、前記プラグハウジングとの係合手段を有することを特徴とする請求項１または２に記載の電気コネクタ。
【請求項４】
前記プラグハウジングと前記カップリングとの固定手段として、前記カップリングには長手方向両側面の内側の、嵌合側及び嵌合側の反対側にカップリング係合突起及びカップリング凸部を設けると共に前記プラグハウジングには長手方向両側面の外側に、ハウジング係合突起及びハウジング凸部とを設け、前記カップリング係合突起と前記ハウジング係合突起及び前記カップリング凸部と前記ハウジング凸部を係合させることにより前記プラグハウジングと前記カップリングとの固定し、
前記プラグハウジングと前記レセプタクルハウジングとの係合手段として、前記レセプタクルハウジングには前記ハウジング係合突起に対応する位置で、かつ、前記ハウジング係合突起が係合する係止突起を設け、前記ハウジング係合突起と前記係止突起とを係合させることにより前記プラグコネクタと前記レセプタクルコネクタとを係合させることを特徴とする請求項３に記載の電気コネクタ。
【請求項５】
前記プラグハウジングまたは前記カップリング若しくは前記プラグハウジングと前記カップリングの両方と係合する可動式の安全部品を備えることを特徴とする請求項１〜４に記載の電気コネクタ。
【請求項６】
前記プラグハウジングには第一検出用プラグコンタクトが保持され、前記レセプタクルハウジングには前記第一検出用プラグコンタクトと接続する第一検出用レセプタクルコンタクトが保持されていることを特徴とする請求項１〜５に記載の電気コネクタ。
【請求項７】
前記安全部品には第二検出用プラグコンタクトが保持され、前記レセプタクルハウジングには前記第二検出用プラグコンタクトと接続する第二検出用レセプタクルコンタクトが保持され、前記安全部品を特定の位置に移動させることで前記第二検出用プラグコンタクトと前記第二検出用レセプタクルコンタクトとを接続することができることを特徴とする請求項５に記載の電気コネクタ。
【請求項８】
前記レセプタクルコネクタには前記レセプタクルコンタクトと接続対象物とに接続する外部接続用端子を備えると共に該外部接続用端子が配置される側にリアカバーを備え、該リアカバーには前記外部接続用端子と平行に突出する突出部を設けると共に該突出部には前記外部接続用端子と前記接続対象物との固定手段を有することを特徴とする請求項１〜７に記載の電気コネクタ。
【請求項９】
前記導電部材はヒューズであり、該ヒューズにより前記複数のプラグコンタクトが互いに接続されることを特徴とする請求項１〜８に記載の電気コネクタ。
【発明の詳細な説明】
【技術分野】
【０００１】
本発明は、電気機器や電子機器や車載機器等に用いられる電気コネクタに関するもので、主に蓄電装置を備える製品等に用いられる電気コネクタの構造に関する。
【背景技術】
【０００２】
電気コネクタの一例として、電源回路遮断装置について説明する。電源回路遮断装置は、例えば電気自動車において、電気系統などをメンテナンスする場合にバッテリーである電源の回路を開放して、作業安全性を確保するのに用いられる。従来用いられている電源回路遮断装置としては、例えば、特許文献１に開示されているように、レバーを設けて該レバーを倒すことで嵌合する方式の物や、特許文献２に開示されているように、把持部を設けて該把持部を把持して押し込むことで嵌合する方式の物がある。
【先行技術文献】
【特許文献】
【０００３】
【特許文献１】特願２０１０−１９２９４５明細書（図１）
【特許文献２】特開平１０−０８３７５３号公報
【発明の概要】
【発明が解決しようとする課題】
【０００４】
近年、電気及び電子機器等の小型化が要求される中、電気コネクタに対する小型化の要求も強くなってきている。特許文献１のレバー方式による電源回路遮断装置では、構造が複雑であり部品点数が多くなってしまい、管理工数及びコストが掛かると共にコネクタの大きさが大きくなってしまい、小型化の要求に対応できないという問題点がある。また、特許文献２の把持部を把持して押し込む方式による電源回路遮断装置では、抜去する際の把持部が必要であるため、コネクタの大きさが大きくなってしまい、小型化の要求に対応できないという問題点がある。さらに、どのような嵌合方式においても、電源側のコンタクトを収容する収容孔の大きさによっては指先が前記コンタクトに触れてしまい、感電してしまう恐れがあるという問題点がある。
【０００５】
そこで、本発明は、このような従来の問題点に鑑みてなされたもので、簡単な構造で、コネクタの小型化ができ、感電の恐れの無い電気コネクタを提供する。
【課題を解決するための手段】
【０００６】
本発明の目的は、請求項１記載のように、プラグコネクタとレセプタクルコネクタが着脱自在に嵌合する電気コネクタであって、複数のプラグコンタクトと、該プラグコンタクトに接続する導電部材と、前記プラグコンタクトを収容するプラグコンタクト収容孔と前記レセプタクルコネクタの嵌合口内に嵌合するプラグ嵌合部とを持つプラグハウジングと、を有する前記プラグコネクタと、接続対象物と接続すると共に前記プラグコンタクトと嵌合する複数のレセプタクルコンタクトと、該レセプタクルコンタクトを収容するレセプタクルコンタクト収容孔と前記プラグコネクタのプラグ嵌合部内に嵌合するレセプタクル嵌合部と前記プラグコネクタのプラグ嵌合部と嵌合する嵌合口とを持つレセプタクルハウジングと、を有する前記レセプタクルコネクタと、を備える電気コネクタにおいて、前記レセプタクルコネクタの前記レセプタクルコンタクト収容孔内に、収容された前記レセプタクルコンタクトの先端より嵌合側に近い位置に感電防止部が設けられ、前記プラグコネクタのプラグコンタクトの先端側に、前記レセプタクルコネクタの感電防止部を逃げるスリットが設けられることを特徴とする電気コネクタにより達成できる。
【０００７】
本発明の目的は、請求項２記載のように、プラグコネクタとレセプタクルコネクタが着脱自在に嵌合する電気コネクタであって、複数のプラグコンタクトと、該プラグコンタクトに接続する導電部材と、前記プラグコンタクトを収容するプラグコンタクト収容孔と前記レセプタクルコネクタの嵌合口内に嵌合するプラグ嵌合部とを持つプラグハウジングと、を有する前記プラグコネクタと、接続対象物と接続すると共に前記プラグコンタクトと嵌合する複数のレセプタクルコンタクトと、該レセプタクルコンタクトを収容するレセプタクルコンタクト収容孔と前記プラグコネクタのプラグ嵌合部内に嵌合するレセプタクル嵌合部と前記プラグコネクタのプラグ嵌合部と嵌合する嵌合口とを持つレセプタクルハウジングと、を有する前記レセプタクルコネクタと、を備える電気コネクタにおいて、前記レセプタクルコネクタの前記レセプタクルコンタクト収容孔内に、収容された前記レセプタクルコンタクトの先端より嵌合側に近い位置に感電防止部が設けられ、前記プラグコンタクトの前記レセプタクルコンタクトとの接触部付近が略平板状であることを特徴とする電気コネクタにより達成できる。
【０００８】
請求項３の電気コネクタは、前記プラグコネクタには、前記プラグハウジングの外周にカップリングが装着され、前記カップリングには、前記プラグハウジングを収容するプラグハウジング収容スペースが設けられると共に前記プラグハウジングとの固定手段を有し、前記プラグハウジングには、前記カップリングとの固定手段を有すると共に前記レセプタクルコネクタとの係合手段を有し、前記レセプタクルコネクタには、前記プラグハウジングとの係合手段を有することを特徴とする請求項１または２に記載の電気コネクタにある。
【０００９】
請求項４の電気コネクタは、前記プラグハウジングと前記カップリングとの固定手段として、前記カップリングには長手方向両側面の内側の、嵌合側及び嵌合側の反対側にカップリング係合突起及びカップリング凸部を設けると共に前記プラグハウジングには長手方向両側面の外側に、ハウジング係合突起及びハウジング凸部とを設け、前記カップリング係合突起と前記ハウジング係合突起及び前記カップリング凸部と前記ハウジング凸部を係合させることにより前記プラグハウジングと前記カップリングとの固定し、前記プラグハウジングと前記レセプタクルハウジングとの係合手段として、前記レセプタクルハウジングには前記ハウジング係合突起に対応する位置で、かつ、前記ハウジング係合突起が係合する係止突起を設け、前記ハウジング係合突起と前記係止突起とを係合させることにより前記プラグコネクタと前記レセプタクルコネクタとを係合させることを特徴とする請求項３に記載の電気コネクタにある。
【００１０】
請求項５の電気コネクタは、前記プラグハウジングまたは前記カップリング若しくは前記プラグハウジングと前記カップリングの両方と係合する可動式の安全部品を備えることを特徴とする請求項１〜４に記載の電気コネクタにある。
【００１１】
請求項６の電気コネクタは、前記プラグハウジングには第一検出用プラグコンタクトが保持され、前記レセプタクルハウジングには前記第一検出用プラグコンタクトと接続する第一検出用レセプタクルコンタクトが保持されていることを特徴とする請求項１〜５に記載の電気コネクタにある。
【００１２】
請求項７の電気コネクタは、前記安全部品には第二検出用プラグコンタクトが保持され、前記レセプタクルハウジングには前記第二検出用プラグコンタクトと接続する第二検出用レセプタクルコンタクトが保持され、前記安全部品を特定の位置に移動させることで前記第二検出用プラグコンタクトと前記第二検出用レセプタクルコンタクトとを接続することができることを特徴とする請求項５に記載の電気コネクタにある。
【００１３】
請求項８の電気コネクタは、前記レセプタクルコネクタには前記レセプタクルコンタクトと接続対象物とに接続する外部接続用端子を備えると共に該外部接続用端子が配置される側にリアカバーを備え、該リアカバーには前記外部接続用端子と平行に突出する突出部を設けると共に該突出部には前記外部接続用端子と前記接続対象物との固定手段を有することを特徴とする請求項１〜７に記載の電気コネクタにある。
【００１４】
請求項９の電気コネクタは、前記導電部材はヒューズであり、該ヒューズにより前記複数のプラグコンタクトが互いに接続されることを特徴とする請求項１〜８に記載の電気コネクタにある。
【発明の効果】
【００１５】
本発明によれば、簡単な構造で、コネクタの小型化ができ、感電の恐れが無く、嵌合時の保持力が強い電気コネクタを提供できる。
【図面の簡単な説明】
【００１６】
【図１】本発明による電気コネクタ（実施形態１）のプラグコネクタとレセプタクルコネクタの未嵌合状態の斜視図である。
【図２】実施形態１のプラグコネクタとレセプタクルコネクタの嵌合状態の斜視図である。
【図３】（ａ）実施形態１のプラグコネクタとレセプタクルコネクタの嵌合状態における、レセプタクルコンタクトの中心かつコネクタの長手方向の断面図である。（電力用ケーブル及び検出用ケーブルを除く）（ｂ）実施形態１のプラグコネクタとレセプタクルコネクタの嵌合状態における、レセプタクルコンタクトの中心かつコネクタの短手方向の断面図である。（電力用ケーブルを除く）
【図４】実施形態１のプラグコネクタの嵌合面の反対側の斜視図である。
【図５】実施形態１のプラグコネクタの嵌合面側の斜視図である。
【図６】実施形態１のプラグコネクタの構成部品を示した図である。
【図７】実施形態１のレセプタクルコネクタの嵌合面側の斜視図である。
【図８】実施形態１のレセプタクルコネクタの嵌合面の反対側の斜視図である。
【図９】実施形態１のレセプタクルコネクタの構成部品を示した図である。
【図１０】実施形態１のプラグコンタクトの斜視図である。
【図１１】実施形態１のレセプタクルコネクタの感電防止部付近の拡大図である。
【図１２】本発明による電気コネクタ（実施形態２）のプラグコネクタとレセプタクルコネクタの未嵌合状態の斜視図である。
【図１３】実施形態２のプラグコネクタとレセプタクルコネクタの嵌合状態の斜視図である。
【図１４】（ａ）実施形態２のプラグコネクタとレセプタクルコネクタの嵌合状態における、レセプタクルコンタクトの中心かつコネクタの長手方向の断面図である。（電力用ケーブル及び検出用ケーブルを除く）（ｂ）実施形態２のプラグコネクタとレセプタクルコネクタの嵌合状態における、レセプタクルコンタクトの中心かつコネクタの短手方向の断面図である。（電力用ケーブルルを除く）
【図１５】実施形態２のプラグコネクタの嵌合面の反対側の斜視図である。
【図１６】実施形態２のプラグコネクタの嵌合面側の斜視図である。
【図１７】実施形態２のプラグコネクタの構成部品を示した図である。
【図１８】実施形態２のレセプタクルコネクタの嵌合面側の斜視図である。
【図１９】実施形態２のレセプタクルコネクタの嵌合面の反対側の斜視図である。
【図２０】実施形態２のレセプタクルコネクタの構成部品を示した図である。
【図２１】本発明による電気コネクタ（実施形態３）のプラグコネクタとレセプタクルコネクタの嵌合状態の斜視図である。
【図２２】（ａ）実施形態３のプラグコネクタとレセプタクルコネクタの嵌合状態における、レセプタクルコンタクトの中心かつコネクタの長手方向の断面図である。（ｂ）実施形態３のプラグコネクタとレセプタクルコネクタの嵌合状態における、レセプタクルコンタクトの中心かつコネクタの短手方向の断面図である。
【図２３】実施形態３のプラグコネクタの嵌合面の反対側の斜視図である。
【図２４】実施形態３のプラグコネクタの嵌合面側の斜視図である。
【図２５】実施形態３のプラグコネクタの構成部品を示した図である。
【図２６】実施形態３のレセプタクルコネクタの嵌合面側の斜視図である。
【図２７】実施形態３のレセプタクルコネクタの嵌合面の反対側の斜視図である。
【図２８】実施形態３のレセプタクルコネクタの構成部品を示した図である。
【図２９】実施形態３の安全部品の斜視図である。
【図３０】実施形態３のリアカバーの斜視図である。
【発明を実施するための形態】
【００１７】
図に基づいて、本発明の実施形態について以下に説明する。
【００１８】
（実施形態１）
本実施形態１の電気コネクタ１００は、プラグコネクタ１１０とレセプタクルコネクタ１５０を主たる構成部材として備えている。以下、それぞれについて説明する。
【００１９】
まず、前記プラグコネクタ１１０について説明する。前記プラグコネクタ１１０は、主に、２つのプラグコンタクト１２６と、該プラグコンタクト１２６を収容するプラグコンタクト収容孔を持ち嵌合時に前記レセプタクルコネクタ１５０の嵌合口１９４内に入るプラグ嵌合部１１６を持つプラグハウジング１１２と、該プラグハウジング１１２の外周に装着するカップリング１１４を有する。以下、それぞれの部位について説明する。
【００２０】
それぞれの部位を説明する前に、前記プラグコンタクト１２６と接続する導電部材について説明する。前記導電部材は、過電流に対する回路の保護や外部との接続をするためのものであり、ヒューズやサーキットブレーカやケーブルやプリント基板等を挙げることができる。本実施形態１では、前記導電部材としてヒューズ１２８を使用している。
【００２１】
まず、前記プラグコンタクト１２６について説明する。前記プラグコンタクト１２６は金属製であり、公知技術の切削加工によって製作されている。前記プラグコンタクト１２６の材質としては、接触安定性や寸法安定性や加工性や強度や導電率やクリープ特性が要求されるので、黄銅やリン青銅やベリリウム合金や鉛入り丹銅棒等を挙げることができる。
【００２２】
前記プラグコンタクト１２６は、略円柱形状であり、嵌合側先端は嵌合し易いようにテーパ形状の加工を施している。また、前記プラグコンタクト１２６の嵌合側先端から長手方向にプラグコンタクトスリット１３６を設けている。該プラグコンタクトスリット１３６は、前記レセプタクルコネクタ１５０との嵌合時に、該レセプタクルコネクタ１５０の感電防止部１７６と干渉しないためのものである。前記プラグコンタクトスリット１３６の形状・大きさは、前記感電防止部１７６と干渉しなければ如何なるものでもよく、役割や強度や加工性等を考慮して適宜設計する。
【００２３】
また、嵌合側の反対側には、ヒューズ１２８を固定し易くするためのフランジ部を設けると共に、前記フランジ部には前記ヒューズ１２８と前記プラグコンタクト１２６とを固定するための第一ボルト１３２を挿入するヒューズ固定用ネジ孔１３８を設け、前記第一ボルト１３２を挿入し締め付けることにより固定している。なお、固定方法としては、前記プラグコンタクト１２６とヒューズ１２８とを確実に固定できれば、どの様な方法であってもよい。前記フランジ部の形状・大きさは、前記プラグコンタクト１２６とヒューズ１２８とを確実に固定できれば如何なるものでもよく、コネクタの小型化や強度や加工性等考慮して適宜設計する。
【００２４】
また、本実施形態１においては、前記プラグコンタクト１２６に、前記プラグハウジング１１２へ固定するために円周に沿ってコンタクトストッパー係止溝１４６が設けられている。前記コンタクトストッパー係止溝１４６は、コンタクトストッパー１２０が係止することにより、前記プラグコンタクト１２６を前記プラグハウジング１１２に固定するためのものである。つまり、本実施形態１では、前記プラグコンタクト１２６を前記プラグハウジング１１２のプラグコンタクト収容孔に挿入した後、前記プラグハウジング１１２のコンタクトストッパー挿入孔１１８にコンタクトストッパー１２０を挿入し、該コンタクトストッパー１２０のストッパー突起部１４８を前記コンタクトストッパー係止溝１４６に係合させることで固定している。前記プラグコンタクト１２６が前記プラグハウジング１１２へ確実に固定できればどのように固定してもよい。別の固定の仕方としては、圧入やランス（引っ掛け）や溶着等が挙げられる。
【００２５】
次に、前記プラグハウジング１１２について説明する。前記プラグハウジング１１２は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料を挙げることができる。
【００２６】
前記プラグハウジング１１２には、前記レセプタクルコネクタ１５０との嵌合側に、嵌合時に前記レセプタクルコネクタ１５０の嵌合口１９４内に入るプラグ嵌合部１１６が設けられている。前記プラグ嵌合部１１６の形状・大きさは、前記嵌合口１９４に入れば如何なるものでもよいが、前記嵌合口１９４に沿うように、接触安定性や寸法安定性や強度や加工性等を考慮して適宜設計する。
【００２７】
また、前記プラグハウジング１１２には、２つの前記プラグコンタクト１２６を収容するプラグコンタクト収容孔が設けられている。前記プラグコンタクト収容孔は、前記プラグコンタクト１２６が挿入できればよく、その形状・大きさは前記プラグコンタクト１２６に沿うように、接触安定性や寸法安定性や強度や加工性等を考慮して適宜設計する。
【００２８】
さらに、前記プラグコンタクト１２６を前記プラグハウジング１１２へ固定するために、本実施形態１おいては、前記プラグハウジング１１２にコンタクトストッパー挿入孔１１８が設けられている。前記コンタクトストッパー挿入孔１１８は、前記コンタクトストッパー１２６を挿入し、前記コンタクトストッパー係止溝１４６に前記コンタクトストッパー１２０を係止することにより、前記プラグコンタクト１２６を前記プラグハウジング１１２に固定するためのものである。つまり、本実施形態１では、前記プラグコンタクト１２６をプラグコンタクト収容孔に挿入した後、前記コンタクトストッパー挿入孔１１８にコンタクトストッパー１２０を挿入し、該コンタクトストッパー１２０のストッパー突起部１４８を前記プラグコンタクト１２６のコンタクトストッパー係止溝１４６に係合させることで固定している。前記プラグコンタクト１２６が前記プラグハウジング１１２へ確実に固定できればどのように固定してもよい。別の固定の仕方としては、圧入やランス（引っ掛け）や溶着等が挙げられる。
【００２９】
また、前記プラグハウジング１１２の嵌合側の反対側には、内部空間が設けられており、該内部空間には、２つの前記プラグコンタクト１２６の間を電気的に接続する前記導電部材であるヒューズ１２８及び前記レセプタクルコネクタ１５０との嵌合状態を検知するための第一検出用プラグコンタクト１２２が必要に応じて配置されている。前記第一検出用プラグコンタクト１２２は金属製であり、圧入により前記プラグハウジング１１２に固定されている。なお、前述の役割を果たせれば、どのような形状・大きさ・金属材料及び固定の仕方であってもよい。また、前記内部空間にある前記プラグコンタクト１２６や前記ヒューズ１２８等に触れることによる感電や異物の侵入等を防止するため、嵌合側の反対側の面にはヒューズカバー１３４が設けられている。前記ヒューズカバー１３４は前述の役割を満たせればどのような形状・大きさでもよく、本実施形態１では、略長方形の平板と該平板の長手方向両側に前記プラグハウジング１１２と一体化するための突起部を有し、電気絶縁性のプラスチック製である。
【００３０】
また、前記プラグハウジング１１２の長手方向両側面の外側には、前記カップリング１１４との固定手段としてハウジング凸部１４０が設けられている。前記ハウジング凸部１４０の形状・大きさは前記カップリング１１４と固定できれば如何なるものでもよいが、前記カップリングとの保持力や強度や加工性等を考慮して適宜設計する。さらに、前記レセプタクルコネクタ１５０の係止突起１８０との係合手段、且つ、前記カップリング１１４との固定手段としてハウジング係合突起１４２が設けられている。前記プラグコネクタ１１０と前記レセプタクルコネクタ１５０とを非嵌合状態から嵌合させていき、前記ハウジング係合突起１４２が係止突起１８０に係合することを以って嵌合状態になったと認識することができる。前記ハウジング係合突起１４２の形状・大きさは、前記レセプタクルコネクタ１５０と係合でき、かつ、前記カップリング１１４と固定できれば如何なるものでもようが、前記レセプタクルコネクタ１５０との保持力や前記カップリング１１４との保持力や強度や加工性等を考慮して適宜設計する。
【００３１】
次に、前記カップリング１１４について説明する。前記カップリング１１４は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００３２】
前記カップリング１１４には、前記プラグハウジング１１２を収容するプラグハウジング収容スペース１０６が設けられている。前記プラグハウジング収容スペース１０６の形状・大きさは、前記プラグハウジング１１２が入ればよく、強度や加工性等を考慮して適宜設計する。
【００３３】
また、前記カップリング１１４には、前記プラグハウジング１１２との固定及び係合手段として、前記プラグハウジング１１２のハウジング係合突起１４２及びハウジング凸部１４０とそれぞれ係合・固定するカップリング係合突起１０８及びカップリング凸部１３０が、前記カップリング１１４の長手方向両側面の内側の嵌合側及び嵌合側の反対側にそれぞれ設けられている。前記プラグハウジング１１２を前記カップリング１１４内へ挿入し、前記ハウジング凸部１４０と前記カップリング凸部１３０及び前記ハウジング係合突起１４２と前記カップリング係合突起１０８がそれぞれ係合することで、前記プラグハウジング１１２と前記カップリング１１４とが固定され一体化する。なお、本実施形態１では前述のような係合・固定手段としたが、役割を満たせればどのような係合・固定手段であってもよく、前記レセプタクルコネクタ１５０との保持力や前記プラグハウジング１１２との保持力や強度や加工性等を考慮して適宜設計する。
【００３４】
また、前記カップリング１１４の嵌合側の反対側の各側面外側には、操作用突起１４４が設けられている。前記プラグコネクタ１１０と前記レセプタクルコネクタ１５０との嵌合状態の時に、対向する前記操作用突起１４４に指を掛けて抜去方向に引くことで、前記レセプタクルコネクタ１５０の係止突起１８０に係合している前記プラグコネクタ１１０のハウジング係合突起１４２の係合が解除され、前記プラグコネクタ１１０と前記レセプタクルコネクタ１５０とが離脱する。前記操作用突起１４４の形状・大きさは、指を掛けられれば如何なるものでも良く、操作性や強度や加工性等考慮して適宜設計する。
【００３５】
次に、前記レセプタクルコネクタ１５０について説明する。前記レセプタクルコネクタ１５０は、主に、２つのレセプタクルコンタクト１６６と、該レセプタクルコンタクト１６６を収容するレセプタクル嵌合部１５４をもつレセプタクルハウジング１５２を有している。以下、それぞれの部位について説明する。
【００３６】
それぞれの部位を説明する前に、前記レセプタクルコンタクト１６６と接続する接続対象物について説明する。前記接続対象物は、外部との接続をするためのものであり、ケーブルやバスバーやプリント基板等を挙げることができる。本実施形態１では、前記接続対象物として電力用ケーブル１７０を使用している。
【００３７】
まず、前記レセプタクルコンタクト１６６について説明する。前記レセプタクルコンタクト１６６は金属製であり、公知技術の切削加工によって製作されている。前記レセプタクルコンタクト１６６の材質としては、寸法安定性や加工性や強度や導電率やクリープ特性が要求されるので、黄銅やリン青銅やベリリウム合金や鉛入り丹銅棒等を挙げることができる。
【００３８】
前記レセプタクルコンタクト１６６は、前記プラグコンタクト１２６と接触するための嵌合側の部位と、電力用ケーブル１７０と接続するための嵌合側の反対側の部位とを有する。前記プラグコンタクト１２６と接触するための嵌合側の部位は、略円筒形状であり、円周方向での接触安定性向上の弾性をもたせるために長手方向にレセプタクルコンタクトスリット１８４が設けられている。前記レセプタクルコンタクトスリット１８４は前述の役割を満たせる数だけ設ければよく、本実施形態１では４箇所設けている。
【００３９】
また、前記レセプタクルコンタクト１６６の嵌合側の先端付近に、略円筒形状で断面略Ｃ字形状のスペーサ１８６を装着している。前記スペーサ１８６を装着することで、前記レセプタクルコンタクト１６６が必要以上に外側へ広がることを抑制している。
【００４０】
また、本実施形態１においては、前記レセプタクルコンタクト１６６に、前記レセプタクルハウジング１５２へ固定するためにの固定手段として、本実施形態では、前記レセプタクルコンタクト１６６の円周に沿ってコンタクトストッパー係止溝１８２が設けられている。前記コンタクトストッパー係止溝１８２は、コンタクトストッパー１６２が係止することにより、前記レセプタクルコンタクト１６６を前記レセプタクルハウジング１５２に固定するためのものである。つまり、本実施形態１では、前記レセプタクルコンタクト１６６をレセプタクルコンタクト収容孔１７４に挿入した後、前記レセプタクルハウジング１５２のコンタクトストッパー挿入孔１６０にコンタクトストッパー１６２を挿入し、該コンタクトストッパー１６２のストッパー突起部１８８を前記コンタクトストッパー係止溝１８２に係合させることで固定している。前記レセプタクルコンタクト１６６が前記レセプタクルハウジング１５２へ確実に固定できればどのように固定してもよい。別の固定の仕方としては、圧入やランス（引っ掛け）や溶着等が挙げられる。
【００４１】
また、前記レセプタクルコンタクト１６６と前記電力用ケーブル１７０との接続手段についても、確実に接続・固定できればどのような手段でもよく、例えば、圧着や圧接やはんだ付け等が挙げられるが、本実施形態１は圧着接続による。
【００４２】
次に、前記レセプタクルハウジング１５２について説明する。前記レセプタクルハウジング１５２は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００４３】
前記レセプタクルハウジング１５２には、前記プラグコネクタ１１０との嵌合側に、嵌合時に前記プラグコネクタ１１０のプラグ嵌合部１１６を入れる嵌合口１９４が設けられている。前記嵌合口１９４の形状・大きさは、前記プラグ嵌合部１１６が入れば如何なるものでもよいが、前記プラグ嵌合部１１６に沿うように、接触安定性や寸法安定性や強度や加工性等を考慮して適宜設計する。
【００４４】
前記レセプタクルハウジング１５２には、前記プラグコネクタ１１０のプラグ嵌合部１１６内に入る２つのレセプタクル嵌合部１５４が設けられている。前記レセプタクル嵌合部１５４の形状・大きさは、前記プラグ嵌合部１１６に入れば如何なるものでもよいが、前記プラグ嵌合部１１６に沿うように、接触安定性や寸法安定性や強度や加工性等を考慮して適宜設計する。
【００４５】
また、前記レセプタクル嵌合部１５４の内部には、嵌合側から嵌合側の反対側まで貫通していると共に、前記レセプタクルコンタクト１６６を収容するためのレセプタクルコンタクト収容孔１７４が設けられている。前記レセプタクルコンタクト１６６を前記レセプタクルハウジング１５２へ固定するために、本実施形態１においては、前記レセプタクルハウジング１５２にコンタクトストッパー挿入孔１６０が設けられている。前記コンタクトストッパー挿入孔１６０は、前記コンタクトストッパー１６２を挿入し、前記コンタクトストッパー係止溝１８２に前記コンタクトストッパー１６２を係止することにより、前記レセプタクルコンタクト１６６を前記レセプタクルハウジング１５２に固定するためのものである。つまり、本実施形態１では、前記レセプタクルコンタクト１６６をレセプタクルコンタクト収容孔１７４に挿入した後、前記コンタクトストッパー挿入孔１６０にコンタクトストッパー１６２を挿入し、該コンタクトストッパー１６２のストッパー突起部１８８を前記レセプタクルコンタクト１６６のコンタクトストッパー係止溝１８２に係合させることで固定している。前記レセプタクルコンタクト１６６が前記レセプタクルハウジング１５２へ確実に固定できればどのように固定してもよい。別の固定の仕方としては、圧入やランス（引っ掛け）や溶着等が挙げられる。
【００４６】
また、前記レセプタクルコンタクト収容孔１７４内には、該レセプタクルコンタクト収容孔１７４内へ誤って指等を挿入し通電部に触れることによる感電を防止するための感電防止部１７６が設けられている。前記感電防止部１７６は、前記レセプタクルコンタクト収容孔１７４内の前記レセプタクルコンタクトの先端より嵌合側に近い位置で、且つ、嵌合時に前記プラグコンタクト１２６と干渉することなく前記プラグコンタクトスリット１３６内に収まるように設ける。本実施形態１では、前記感電防止部１７６は、前記レセプタクル嵌合部１５４及び前記レセプタクルハウジング１５２と一体に成型された電気絶縁性のプラスチックであり、前記レセプタクルコンタクト収容孔１７４の直径方向に棒状の物として設けているが、前述の役割を満たせればどのような形状や材質であってもよく、別体の部品であってもよい。
【００４７】
また、前記レセプタクルハウジング１５２の嵌合側には、前記プラグコネクタ１１０との嵌合状態を検知するための第一検出用レセプタクルコンタクト１６４と該第一検出用レセプタクルコンタクト１６４を収容する第一検出用レセプタクルコンタクト収容孔１９０とが設けられている。前記第一検出用レセプタクルコンタクト１６４は金属製であり、前述の役割を果たせれば、どのような形状・大きさ及び金属材料であってもよい。前記第一検出用レセプタクルコンタクト１６４の前記第一検出用レセプタクルコンタクト収容孔１９０への固定の仕方は、前記第一検出用レセプタクルコンタクト１６４が確実に固定できればどのような方法であってもよく、本実施形態１においてはランス（引っ掛け）により固定している。別の固定の仕方としては、圧入や溶着等が挙げられる。また、前記第一検出用レセプタクルコンタクト１６４の嵌合側の反対側には、第一検出用ケーブル１７２が接続されている。本実施形態１では圧着接続により接続されているが、確実に接続・固定できればどのような手段でもよく、別の接続の仕方としては、圧接やはんだ付け等が挙げられる。
【００４８】
また、前記レセプタクルハウジング１５２と前記プラグハウジング１１２との係合手段として、前記レセプタクルハウジング１５２の長手方向両側面の外側には、前記ハウジング係合突起１４２に対応する位置で、且つ、前記ハウジング係合突起１４２が係合する係止突起１８０が設けられている。前記プラグコネクタ１１０と前記レセプタクルコネクタ１５０とを非嵌合状態から嵌合させていき、前記ハウジング係合突起１４２が係止突起１８０に係合することを以って嵌合状態になる。なお、本実施形態では前述のような係合手段としたが、役割を満たせればどのような係合手段であってもよく、前記プラグコネクタ１１０との保持力や強度や加工性等を考慮して適宜設計する。
【００４９】
また、前記レセプタクルハウジング１５２には、リアカバー１６８を前記レセプタクルハウジング１５２へ固定するためのリアカバー固定孔１７８が設けられている。前記リアカバー固定孔１７８の数は、前記リアカバー１６８が前記レセプタクルハウジング１５２に確実に固定できれば何箇所でもよく、本実施形態１においては４箇所である。また、前記レセプタクルハウジング１５２の長手方向両側面の外側には、レセプタクルコネクタ１５０を機器等へ取り付けるための取り付け用の孔をもつレセプタクルフランジ１５６を有する。前記レセプタクルフランジ１５６の位置や形状は、取り付ける機器等の形状や強度や加工性等を考慮して適宜設計する。
【００５０】
また、前記リアカバー１６８は電気絶縁性のプラスチックであり、公知技術の射出成形によって製作され、この材料としては寸法安定性や加工性や強度やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００５１】
前記リアカバー１６８の役割としては、前記レセプタクルコネクタ１５０内の通電部に触れることによる感電や異物の侵入等の防止等である。前記リアカバー１６８は、前記レセプタクルハウジング１５２の嵌合側の反対側を覆う面と、該面に電力用ケーブル１７０と第一検出用ケーブル１７２を通すためのそれぞれの孔と、前記レセプタクルハウジング１５２の嵌合側の反対側へ固定するための手段とを有する。本実施形態における前記固定するための手段は、リアカバー固定突起１９２を４箇所に設け、前記リアカバー固定突起１９２を前記レセプタクルハウジング１５２のリアカバー固定孔１７８に係合させることによるが、前記リアカバー１６８が前記レセプタクルハウジング１５２に確実に固定できればどのような手段であってもよい。
【００５２】
（実施形態２）
本実施形態２の電気コネクタ２００は、プラグコネクタ２１０とレセプタクルコネクタ２５０を主たる構成部材として備えている。以下、それぞれについて説明する。
【００５３】
まず、前記プラグコネクタ２１０について説明する。前記プラグコネクタ２１０は、主に、２つのプラグコンタクト２２６と、該プラグコンタクト２２６を収容するプラグコンタクト収容孔を持ち嵌合時に前記レセプタクルコネクタ２５０の嵌合口２９４内に入るプラグ嵌合部２１６を持つプラグハウジング２１２と、該プラグハウジング２１２の外周に装着するカップリング２１４を有する。以下、それぞれの部位について説明する。
【００５４】
それぞれの部位を説明する前に、前記プラグコンタクト２２６と接続する導電部材について説明する。前記導電部材は、過電流に対する回路の保護や外部との接続をするためのものであり、ヒューズやサーキットブレーカやケーブルやプリント基板等を挙げることができる。本実施形態２では、前記導電部材としてヒューズ２２８を使用している。
【００５５】
まず、前記プラグコンタクト２２６について説明する。前記プラグコンタクト２２６は金属製であり、公知技術のプレス加工によって製作されている。前記プラグコンタクト２２６の材質としては、寸法安定性や加工性や強度や導電率やクリープ特性が要求されるので、黄銅やリン青銅やベリリウム合金やコルソン系合金等を挙げることができる。
【００５６】
前記プラグコンタクト２２６は、略Ｌ字形状の平板であり、嵌合側の反対側にヒューズ２２８を前記プラグコンタクト２２６に固定するための第一ボルト２３２を挿入するヒューズ固定用ネジ孔２３８を設け、前記第一ボルト２３２と第一ナット２２４との締め付けにより固定している。なお、固定方法としては、前記プラグコンタクト２２６とヒューズ２２８とを確実に固定できればどのように固定してもよい。
【００５７】
また、本実施形態２においては、前記プラグコンタクト２２６を前記レセプタクルハウジング２１２へ圧入により固定している。前記プラグコンタクト２２６が前記プラグハウジング２１２へ確実に固定できればどのように固定してもよい。別の固定の仕方としては、ランス（引っ掛け）や溶着等が挙げられる。
【００５８】
次に、前記プラグハウジング２１２について説明する。前記プラグハウジング２１２は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００５９】
前記プラグハウジング２１２には、前記レセプタクルコネクタ２５０との嵌合側に、嵌合時に前記レセプタクルコネクタ２５０の嵌合口２９４内に入るプラグ嵌合部２１６が設けられている。前記プラグ嵌合部２１６の形状・大きさは、前記嵌合口２９４に入れば如何なるものでもよいが、接触安定性や寸法安定性や強度や加工性等を考慮して適宜設計する。
【００６０】
また、前記プラグハウジング２１２には、２つの前記プラグコンタクト２２６を収容するプラグコンタクト収容孔が設けられている。前記プラグコンタクト収容孔は、前記プラグコンタクト２２６が圧入・固定できればよく、その形状・大きさは、接触安定性や寸法安定性や強度や加工性等を考慮して適宜設計する。
【００６１】
また、前記プラグハウジング２１２の嵌合側の反対側には、内部空間が設けられており、該内部空間には、２つの前記プラグコンタクト２２６の間を電気的に接続する前記導電部材であるヒューズ２２８及び前記レセプタクルコネクタ２５０との嵌合状態を検知するための第一検出用プラグコンタクト２２２が必要に応じて配置されている。前記第一検出用プラグコンタクト２２２は金属製であり、圧入により前記プラグハウジング２１２に固定されている。なお、前述の役割を果たせれば、どのような形状・大きさ・金属材料及び固定の仕方であってもよい。また、前記内部空間にある前記プラグコンタクト２２６や前記ヒューズ２２８等に触れることによる感電や異物の侵入等を防止するため、嵌合側の反対側の面にはヒューズカバー２３４が設けられている。前記ヒューズカバー２３４は前述の役割を満たせればどのような形状・大きさでもよく、本実施形態２では、略長方形の平板と該平板の長手方向両側に前記プラグハウジング２１２と一体化するための突起部を有し、電気絶縁性のプラスチック製である。
【００６２】
また、前記プラグハウジング２１２の長手方向両側面の外側には、前記カップリング２１４との固定手段としてハウジング凸部２４０が設けられている。前記ハウジング凸部２４０の形状・大きさは前記カップリング２１４と固定できれば如何なるものでもよいが、前記カップリングとの保持力や強度や加工性等を考慮して適宜設計する。さらに、前記レセプタクルコネクタ２５０の係止突起２８０との係合手段、且つ、前記カップリング２１４との固定手段としてハウジング係合突起２４２を設ける。前記プラグコネクタ２１０と前記レセプタクルコネクタ２５０とを非嵌合状態から嵌合させていき、前記ハウジング係合突起２４２が係止突起２８０に係合することを以って嵌合状態になる。前記ハウジング係合突起２４２の形状・大きさは、前記レセプタクルコネクタ２５０と係合でき、かつ、前記カップリング２１４と固定できれば如何なるものでもようが、前記レセプタクルコネクタ２５０との保持力や前記カップリング２１４との保持力や強度や加工性等を考慮して適宜設計する。
【００６３】
次に、前記カップリング２１４について説明する。前記カップリング２１４は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００６４】
前記カップリング２１４には、前記プラグハウジング２１２を収容するプラグハウジング収容スペース２０６が設けられている。前記プラグハウジング収容スペース２０６の形状・大きさは、前記プラグハウジング２１２が入ればよく、強度や加工性等を考慮して適宜設計する。
【００６５】
また、前記カップリング２１４には、前記プラグハウジング２１２との固定及び係合手段として、前記プラグハウジング２１２のハウジング係合突起２４２及びハウジング凸部２４０とそれぞれ係合・固定するカップリング係合突起２０８及びカップリング凸部２３０が、前記カップリング２１４の長手方向両側面の内側の嵌合側及び嵌合側の反対側にそれぞれ設けられている。前記プラグハウジング２１２を前記カップリング２１４内へ挿入し、前記ハウジング凸部２４０と前記カップリング凸部２３０及び前記ハウジング係合突起２４２と前記カップリング係合突起２０８がそれぞれ係合することで、前記プラグハウジング２１２と前記カップリング２１４とが固定され一体化する。なお、本実施形態２では前述のような係合・固定手段としたが、役割を満たせればどのような係合・固定手段であってもよく、前記レセプタクルコネクタ２５０との保持力や前記プラグハウジング２１２との保持力や強度や加工性等を考慮して適宜設計する。
【００６６】
また、前記カップリング２１４の嵌合側の反対側の各側面外側には、操作用突起２４４が設けられている。前記プラグコネクタ２１０と前記レセプタクルコネクタ２５０との嵌合状態の時に、対向する前記操作用突起２４４に指を掛けて抜去方向に引くことで、前記レセプタクルコネクタ２５０の係止突起２８０に係合している前記プラグコネクタ２１０のハウジング係合突起２４２の係合が解除され、前記プラグコネクタ２１０と前記レセプタクルコネクタ２５０とが離脱する。前記操作用突起２４４の形状・大きさは、指を掛けられれば如何なるものでも良く、操作性や強度や加工性等考慮して適宜設計する。
【００６７】
次に、前記レセプタクルコネクタ２５０について説明する。前記レセプタクルコネクタ２５０は、主に、２つのレセプタクルコンタクト２６６と、該レセプタクルコンタクト２６６を収容するレセプタクル嵌合部２５４をもつレセプタクルハウジング２５２を有している。以下、それぞれの部位について説明する。
【００６８】
それぞれの部位を説明する前に、前記レセプタクルコンタクト２６６と接続する接続対象物について説明する。前記接続対象物は、外部との接続をするためのものであり、ケーブルやバスバーやプリント基板等を挙げることができる。本実施形態２では、前記接続対象物として電力用ケーブル２７０を使用している。
【００６９】
まず、前記レセプタクルコンタクト２６６について説明する。前記レセプタクルコンタクト２６６は金属製であり、公知技術のプレス加工によって製作されている。前記レセプタクルコンタクト２６６の材質としては、寸法安定性や加工性や強度や導電率やクリープ特性が要求されるので、黄銅やリン青銅やベリリウム合金やコルソン系合金等を挙げることができる。
【００７０】
前記レセプタクルコンタクト２６６は、前記プラグコンタクト２２６と接触するための嵌合側の部位と、電力用ケーブル２７０と接続するための嵌合側の反対側の部位とを有する。
【００７１】
また、本実施形態２においては、前記レセプタクルコンタクト２６６を前記レセプタクルハウジング２５２へ固定するために、レセプタクルコンタクト収容孔２７４内に弾性を有するコンタクト固定用突起２９６が設けられ、前記レセプタクルコンタクト２６６には係止孔２５８が設けられている。前記レセプタクルコンタクト２６６を前記レセプタクルコンタクト収容孔２７４に挿入し、前記コンタクト固定用突起２９６を前記係止孔２５８に係合させることにより固定している。前記レセプタクルコンタクト２６６が前記レセプタクルハウジング２５２へ確実に固定できればどのように固定してもよい。別の固定の仕方としては、圧入や溶着等が挙げられる。
【００７２】
また、前記レセプタクルコンタクト２６６と前記電力用ケーブル２７０との接続手段についても、確実に接続・固定できればどのような手段でもよく、例えば、圧着や圧接やはんだ付け等が挙げられるが、本実施形態２は圧着接続による。
【００７３】
次に、前記レセプタクルハウジング２５２について説明する。前記レセプタクルハウジング２５２は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００７４】
前記レセプタクルハウジング２５２には、前記プラグコネクタ２１０との嵌合側に、嵌合時に前記プラグコネクタ２１０のプラグ嵌合部２１６を入れる嵌合口２９４が設けられている。前記嵌合口２９４の形状・大きさは、前記プラグ嵌合部２１６が入れば如何なるものでもよいが、接触安定性や寸法安定性や強度や加工性等を考慮して適宜設計する。
【００７５】
前記レセプタクルハウジング２５２には、前記プラグコネクタ２１０のプラグ嵌合部２１６内に入る２つのレセプタクル嵌合部２５４が設けられている。前記レセプタクル嵌合部２５４の形状・大きさは、前記プラグ嵌合部２１６に入れば如何なるものでもよいが、前記プラグ嵌合部２１６に沿うように、接触安定性や寸法安定性や強度や加工性等を考慮して適宜設計する。
【００７６】
また、前記レセプタクル嵌合部２５４の内部には、嵌合側から嵌合側の反対側まで貫通していると共に、前記レセプタクルコンタクト２６６を収容するためのレセプタクルコンタクト収容孔２７４が設けられている。前記レセプタクルコンタクト２６６を前記レセプタクルハウジング２５２へ固定するために、本実施形態２においては、前記レセプタクルコンタクト収容孔２７４内に弾性を有するコンタクト固定用突起２９６が設けられ、前記レセプタクルコンタクト２６６には係止孔２５８が設けられている。前記レセプタクルコンタクト２６６を前記レセプタクルコンタクト収容孔２７４に挿入し、前記コンタクト固定用突起２９６を前記係止孔２５８に係合させることにより固定している。前記レセプタクルコンタクト２６６が前記レセプタクルハウジング２５２へ確実に固定できればどのように固定してもよい。別の固定の仕方としては、圧入や溶着等が挙げられる。
【００７７】
また、前記レセプタクルコンタクト収容孔２７４内には、該レセプタクルコンタクト収容孔２７４内へ誤って指等を挿入し通電部に触れることによる感電を防止するための感電防止部２７６が設けられている。前記感電防止部２７６は、前記レセプタクルコンタクト収容孔２７４内の前記レセプタクルコンタクトの先端より嵌合側に近い位置に設けられる。本実施形態２では、前記感電防止部２７６は、前記レセプタクル嵌合部２５４及び前記レセプタクルハウジング２５２と一体に成型された電気絶縁性のプラスチックであるが、前述の役割を満たせればどのような形状や材質であってもよく、別体の部品であってもよい。
【００７８】
また、前記レセプタクルハウジング２５２の嵌合側には、前記プラグコネクタ２１０との嵌合状態を検知するための第一検出用レセプタクルコンタクト２６４と該第一検出用レセプタクルコンタクト２６４を収容する第一検出用レセプタクルコンタクト収容孔２９０とが設けられている。前記第一検出用レセプタクルコンタクト２６４は金属製であり、前述の役割を果たせれば、どのような形状・大きさ及び金属材料であってもよい。前記第一検出用レセプタクルコンタクト２６４の前記第一検出用レセプタクルコンタクト収容孔２９０への固定の仕方は、前記第一検出用レセプタクルコンタクト２６４が確実に固定できればどのような方法であってもよく、本実施形態２においてはランス（引っ掛け）により固定している。別の固定の仕方としては、圧入や溶着等が挙げられる。また、前記第一検出用レセプタクルコンタクト２６４の嵌合側の反対側には、第一検出用ケーブル２７２が接続されている。本実施形態２では圧着接続により接続されているが、確実に接続・固定できればどのような手段でもよく、別の接続の仕方としては、圧接やはんだ付け等が挙げられる。
【００７９】
また、前記レセプタクルハウジング２５２と前記プラグハウジング２１２との係合手段として、前記レセプタクルハウジング２５２の長手方向両側面の外側には、前記ハウジング係合突起２４２に対応する位置で、且つ、前記ハウジング係合突起２４２が係合する係止突起２８０が設けられている。前記プラグコネクタ２１０と前記レセプタクルコネクタ２５０とを非嵌合状態から嵌合させていき、前記ハウジング係合突起２４２が係止突起２８０に係合することを以って嵌合状態になる。なお、本実施形態では前述のような係合手段としたが、役割を満たせればどのような係合手段であってもよく、前記プラグコネクタ２１０との保持力や強度や加工性等を考慮して適宜設計する。
【００８０】
また、前記レセプタクルハウジング２５２には、リアカバー２６８を前記レセプタクルハウジング２５２へ固定するためのリアカバー固定孔２７８が設けられている。前記リアカバー固定孔２７８の数は、前記リアカバー２６８が前記レセプタクルハウジング２５２に確実に固定できれば何箇所でもよく、本実施形態２においては４箇所である。また、前記レセプタクルハウジング２５２の長手方向両側面の外側には、レセプタクルコネクタ２５０を機器等へ取り付けるための取り付け用の孔をもつレセプタクルフランジ２５６を有する。前記レセプタクルフランジ２５６の位置や形状は、取り付ける機器等の形状や強度や加工性等を考慮して適宜設計する。
【００８１】
また、前記リアカバー２６８は電気絶縁性のプラスチックであり、公知技術の射出成形によって製作され、この材料としては寸法安定性や加工性や強度やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００８２】
前記リアカバー２６８の役割としては、前記レセプタクルコネクタ２５０内の通電部に触れることによる感電や異物の侵入等の防止や等である。前記リアカバー２６８は、前記レセプタクルハウジング２５２の嵌合側の反対側を覆う面と、該面に電力用ケーブル２７０と第一検出用ケーブル２７２を通すためのそれぞれの孔と、前記レセプタクルハウジング２５２の嵌合側の反対側へ固定するための手段とを有する。本実施形態における前記固定するための手段は、リアカバー固定突起２９２を４箇所に設け、前記リアカバー固定突起２９２を前記レセプタクルハウジング２５２のリアカバー固定孔２７８に係合させることによるが、前記リアカバー２６８が前記レセプタクルハウジング２５２に確実に固定できればどのような手段であってもよい。
【００８３】
（実施形態３）
本実施形態３の電気コネクタ３００は、プラグコネクタ３１０とレセプタクルコネクタ３５０を主たる構成部材として備えている。以下、それぞれについて説明する。
【００８４】
まず、前記プラグコネクタ３１０について説明する。前記プラグコネクタ３１０は、主に、２つのプラグコンタクト３２６と、該プラグコンタクト３２６を収容するプラグコンタクト収容孔を持ち嵌合時に前記レセプタクルコネクタ３５０の嵌合口３９４内に入るプラグ嵌合部３１６を持つプラグハウジング３１２と、該プラグハウジング３１２の外周に装着するカップリング３１４を有する。以下、それぞれの部位について説明する。
【００８５】
それぞれの部位を説明する前に、前記プラグコンタクト３２６と接続する導電部材について説明する。前記導電部材は、過電流に対する回路の保護や外部との接続をするためのものであり、ヒューズやサーキットブレーカやケーブルやプリント基板等を挙げることができる。本実施形態３では、前記導電部材としてヒューズ３２８を使用している。
【００８６】
まず、前記プラグコンタクト３２６について説明する。前記プラグコンタクト３２６は金属製であり、公知技術のプレス加工によって製作されている。前記プラグコンタクト３２６の材質としては、寸法安定性や加工性や強度や導電率やクリープ特性が要求されるので、黄銅やリン青銅やベリリウム合金やコルソン系合金等を挙げることができる。
【００８７】
前記プラグコンタクト３２６は、略Ｌ字形状の平板であり、嵌合側の反対側にヒューズ３２８を前記プラグコンタクト３２６に固定するための第一ボルト３３２を挿入するヒューズ固定用ネジ孔３３８を設け、前記第一ボルト３３２と第一ナット３２４との締め付けにより固定している。なお、固定方法としては、前記プラグコンタクト３２６とヒューズ３２８とを確実に固定できればどのように固定してもよい。
【００８８】
また、本実施形態３においては、前記プラグコンタクト３２６を前記レセプタクルハウジング３１２へ圧入により固定している。前記プラグコンタクト３２６が前記プラグハウジング３１２へ確実に固定できればどのように固定してもよい。別の固定の仕方としては、ランス（引っ掛け）や溶着等が挙げられる。
【００８９】
次に、前記プラグハウジング３１２について説明する。前記プラグハウジング３１２は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００９０】
前記プラグハウジング３１２には、前記レセプタクルコネクタ３５０との嵌合側に、嵌合時に前記レセプタクルコネクタ３５０の嵌合口３９４内に入るプラグ嵌合部３１６が設けられている。前記プラグ嵌合部３１６の形状・大きさは、前記嵌合口３９４に入れば如何なるものでもよいが、接続安定性や寸法安定性や強度や加工性等を考慮して適宜設計する。さらに、前記プラグ嵌合部３１６には、後述する安全部品３２１を押し下げた時に前記安全部品３２１の安全部品係合突起３２９と係合するプラグ嵌合部係合突起３１７が設けられている。前記プラグ嵌合部係合突起３１７の位置や大きさや個数は、安全部品３２１を押し下げた時に安全部品係合突起３２９と確実に係合できるように該安全部品係合突起３２９の位置・形状や係合強度や加工性や強度等を考慮し適宜設計する。
【００９１】
また、前記プラグハウジング３１２には、２つの前記プラグコンタクト３２６を収容するプラグコンタクト収容孔が設けられている。前記プラグコンタクト収容孔は、前記プラグコンタクト３２６が圧入・固定できればよく、その形状・大きさは、接触安定性や寸法安定性や強度や加工性等を考慮して適宜設計する。
【００９２】
また、前記プラグハウジング３１２の嵌合側の反対側には、内部空間が設けられており、該内部空間には、２つの前記プラグコンタクト３２６の間を電気的に接続する前記導電部材であるヒューズ３２８及び前記レセプタクルコネクタ３５０との嵌合状態を検知するための第一検出用プラグコンタクト３２２が必要に応じて配置されている。該第一検出用プラグコンタクト３２２は、前記レセプタクルコネクタ３５０の第一検出用レセプタクルコンタクト３６４と接続されているか否かにより、コネクタ間の嵌合状態を検知するためのものである。前記第一検出用プラグコンタクト３２２は金属製であり、本実施形態３では圧入により前記プラグハウジング３１２に固定されている。なお、前述の役割を果たせれば、どのような形状・大きさ・金属材料及び固定の仕方であってもよいが、役割や接続安定性や加工性や強度等を考慮して適宜設計する。また、前記内部空間にある前記プラグコンタクト３２６や前記ヒューズ３２８等に触れることによる感電や異物の侵入等を防止するため、嵌合側の反対側の面にはヒューズカバー３３４が設けられている。前記ヒューズカバー３３４は前述の役割を満たせればどのような形状・大きさでもよく、本実施形態３では、略長方形の平板と該平板の長手方向両側に前記プラグハウジング３１２と一体化するための突起部を有し、電気絶縁性のプラスチック製である。
【００９３】
また、前記プラグハウジング３１２の長手方向両側面の外側には、前記カップリング３１４との固定手段としてハウジング凸部３４０が設けられている。前記ハウジング凸部３４０の形状・大きさは前記カップリング３１４と固定できれば如何なるものでもよいが、前記カップリングとの保持力や強度や加工性等を考慮して適宜設計する。さらに、前記レセプタクルコネクタ３５０の係止突起３８０との係合手段、且つ、前記カップリング３１４との固定手段としてハウジング係合突起３４２を設ける。前記プラグコネクタ３１０と前記レセプタクルコネクタ３５０とを非嵌合状態から嵌合させていき、前記ハウジング係合突起３４２が係止突起３８０に係合することを以って嵌合状態になる。前記ハウジング係合突起３４２の形状・大きさは、前記レセプタクルコネクタ３５０と係合でき、かつ、前記カップリング３１４と固定できれば如何なるものでもようが、前記レセプタクルコネクタ３５０との保持力や前記カップリング３１４との保持力や強度や加工性等を考慮して適宜設計する。
【００９４】
次に、前記カップリング３１４について説明する。前記カップリング３１４は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【００９５】
前記カップリング３１４には、前記プラグハウジング３１２を収容するプラグハウジング収容スペース３０６が設けられている。前記プラグハウジング収容スペース３０６の形状・大きさは、前記プラグハウジング３１２が入ればよく、強度や加工性等を考慮して適宜設計する。
【００９６】
また、前記カップリング３１４には、後述する安全部品３２１が入る安全部品挿入溝３１９が設けられていると共に、前記安全部品３２１の安全部品係合突起３２９と係合するための係止部３１５が設けられている。前記係止部３１５は、前記安全部品３２１の安全部品係合突起３２９と係合することにより、前記安全部品３２１を引き上げた時の位置を制限すると共に前記カップリング３１４から前記安全部品３２１の脱落を防止することを目的として設けられたものである。本実施形態３では、前記係止部３１５は前記安全部品挿入溝３１９の両端付近の２箇所に設けられているが、前述の目的を満足すればどのように設けてもよい。
【００９７】
また、前記カップリング３１４には、前記プラグハウジング３１２との固定及び係合手段として、前記プラグハウジング３１２のハウジング係合突起３４２及びハウジング凸部３４０とそれぞれ係合・固定するカップリング係合突起３０８及びカップリング凸部３３０が、前記カップリング３１４の長手方向両側面の内側の嵌合側及び嵌合側の反対側にそれぞれ設けられている。前記プラグハウジング３１２を前記カップリング３１４内へ挿入し、前記ハウジング凸部３４０と前記カップリング凸部３３０及び前記ハウジング係合突起３４２と前記カップリング係合突起３０８がそれぞれ係合することで、前記プラグハウジング３１２と前記カップリング３１４とが固定され一体化する。なお、本実施形態３では前述のような係合・固定手段としたが、役割を満たせればどのような係合・固定手段であってもよく、前記レセプタクルコネクタ３５０との保持力や前記プラグハウジング３１２との保持力や強度や加工性等を考慮して適宜設計する。
【００９８】
また、前記カップリング３１４の嵌合側の反対側の長手方向両側面の外側には、操作用突起３４４が設けられている。前記プラグコネクタ３１０と前記レセプタクルコネクタ３５０との嵌合状態の時に、対向する前記操作用突起３４４に指を掛けて抜去方向に引くことで、前記レセプタクルコネクタ３５０の係止突起３８０に係合している前記プラグコネクタ３１０のハウジング係合突起３４２の係合が解除され、前記プラグコネクタ３１０と前記レセプタクルコネクタ３５０とが離脱する。前記操作用突起３４４の形状・大きさは、指を掛けられれば如何なるものでも良く、操作性や強度や加工性等考慮して適宜設計する。
【００９９】
ここで、前記安全部品３２１について説明する。前記安全部品３２１は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【０１００】
前記安全部品３２１は、操作部３２５と、該操作部３２５から延出される複数のアーム部３２７と、該アーム部３２７に所要数の安全部品係合突起３２９とを有する。
【０１０１】
また、前記安全部品３２１の操作部３２５の裏側には、前記レセプタクルコネクタ３５０との嵌合状態を検知するための第二検出用プラグコンタクト３２３が必要に応じて配置されている。該第二検出用プラグコンタクト３２３は、前記レセプタクルコネクタ３５０の第二検出用レセプタクルコンタクト３６５と接続しているか否かにより、コネクタ間の嵌合状態を検知するためのものである。前記第二検出用プラグコンタクト３２３は金属製であり、本実施形態３では圧入により前記安全部品３２１に固定されている。なお、前述の役割を果たせれば、どのような形状・大きさ・金属材料及び固定の仕方であってもよいが、役割や接続安定性や加工性や強度等を考慮して適宜設計する。
【０１０２】
また、前記安全部品３２１は、前記カップリング３１４の安全部品挿入溝３１９に入る形状であり、前記安全部品３２１の安全部品係合突起３２９は、前記カップリング３１４の係止部３１５や前記プラグハウジング３１２のプラグ嵌合部係合突起３１７と係合するためのものである。前記安全部品係合突起３２９と前記係止部３１５との係合については、前記安全部品３２１を引き上げた時の位置を制限すると共に前記カップリング３１４から前記安全部品３２１の脱落を防止することを目的とするものであり、前記安全部品係合突起３２９と前記嵌合部係合突起３１７との係合については、前記安全部品３２１を押し下げた時の位置を保持することを目的とするものである。なお、これらは、前記の目的を満足すればどのように設けてもよい。
【０１０３】
前記安全部品３２１の操作方法としては、前記プラグコネクタ３１０と前記レセプタクルコネクタ３５０との嵌合前は前記安全部品３２１を引き上げた状態にしておき、嵌合後、前記安全部品３２１の操作部３２５を押し下げ、複数の前記安全部品係合突起３２９を前記プラグハウジング３１２のプラグ嵌合部係合突起３１７と係合させる。係合と同時に、前記第二検出用プラグコンタクト３２３と前記第二検出用レセプタクルコンタクト３６５とが接続され、コネクタが嵌合状態であることが検知される。
【０１０４】
次に、前記レセプタクルコネクタ３５０について説明する。前記レセプタクルコネクタ３５０は、主に、２つのレセプタクルコンタクト３６６と、該レセプタクルコンタクト３６６を収容するレセプタクル嵌合部３５４をもつレセプタクルハウジング３５２を有している。以下、それぞれの部位について説明する。
【０１０５】
それぞれの部位を説明する前に、前記レセプタクルコンタクト３６６と接続する接続対象物について説明する。前記接続対象物は、外部との接続をするためのものであり、ケーブルやバスバーやプリント基板等を挙げることができる。本実施形態３では、接続対象物をバスバー（図示無し）とし、前記レセプタクルコンタクト３６６と前記バスバー（図示無し）との間には外部接続用端子３６７を備えている。
【０１０６】
まず、前記レセプタクルコンタクト３６６について説明する。前記レセプタクルコンタクト３６６は金属製であり、公知技術のプレス加工によって製作されている。前記レセプタクルコンタクト３６６の材質としては、寸法安定性や加工性や強度や導電率やクリープ特性が要求されるので、黄銅やリン青銅やベリリウム合金やコルソン系合金等を挙げることができる。
【０１０７】
前記レセプタクルコンタクト３６６は、前記プラグコンタクト３２６と接触するための嵌合側の部位と、前記外部接続用端子３６７と接続するための嵌合側の反対側の部位とを有する。
【０１０８】
また、本実施形態３においては、前記レセプタクルコンタクト３６６を前記レセプタクルハウジング３５２へ固定するために、レセプタクルコンタクト収容孔３７４内に弾性を有するコンタクト固定用突起３９６が設けられ、前記レセプタクルコンタクト３６６には係止孔３５８が設けられている。前記レセプタクルコンタクト３６６を前記レセプタクルコンタクト収容孔３７４に挿入し、前記コンタクト固定用突起３９６を前記係止孔３５８に係合させることにより固定している（所謂、ランス（引っ掛け）方式）。前記レセプタクルコンタクト３６６が前記レセプタクルハウジング３５２へ確実に固定できればどのように固定してもよい。別の固定の仕方としては、圧入や溶着等が挙げられる。
【０１０９】
また、前記レセプタクルコンタクト３６６と前記外部接続用端子３６７との接続手段についても、確実に接続・固定できればどのような手段でもよく、例えば、圧接やはんだ付けやねじ留め等が挙げられるが、本実施形態３では第二ボルト３７５と第二ナット３７７とのねじ留めによる。
【０１１０】
次に、前記レセプタクルハウジング３５２について説明する。前記レセプタクルハウジング３５２は電気絶縁性のプラスチックであり、公知技術の射出成形によって製作され、この材料としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【０１１１】
前記レセプタクルハウジング３５２には、前記プラグコネクタ３１０との嵌合側に、嵌合時に前記プラグコネクタ３１０のプラグ嵌合部３１６を入れる嵌合口３９４が設けられている。前記嵌合口３９４の形状・大きさは、前記プラグ嵌合部３１６が入れば如何なるものでもよいが、接触安定性や寸法安定性や強度や加工性等を考慮して適宜設計する。
【０１１２】
前記レセプタクルハウジング３５２には、前記プラグコネクタ３１０のプラグ嵌合部３１６内に入る２つのレセプタクル嵌合部３５４が設けられている。前記レセプタクル嵌合部３５４の形状・大きさは、前記プラグ嵌合部３１６に入れば如何なるものでもよいが、前記プラグ嵌合部３１６に沿うように、接触安定性や寸法安定性や強度や加工性等を考慮して適宜設計する。
【０１１３】
また、前記レセプタクル嵌合部３５４の内部には、嵌合側から嵌合側の反対側まで貫通していると共に、前記レセプタクルコンタクト３６６を収容するためのレセプタクルコンタクト収容孔３７４が設けられている。前記レセプタクルコンタクト３６６を前記レセプタクルハウジング３５２へ固定するために、本実施形態３においては、前記レセプタクルコンタクト収容孔３７４内に弾性を有するコンタクト固定用突起３９６が設けられ、前記レセプタクルコンタクト３６６には係止孔３５８が設けられている。前記レセプタクルコンタクト３６６を前記レセプタクルコンタクト収容孔３７４に挿入し、前記コンタクト固定用突起３９６を前記係止孔３５８に係合させることにより固定している。前記レセプタクルコンタクト３６６が前記レセプタクルハウジング３５２へ確実に固定できればどのように固定してもよい。別の固定の仕方としては、圧入や溶着等が挙げられる。
【０１１４】
また、前記レセプタクルコンタクト収容孔３７４内には、該レセプタクルコンタクト収容孔３７４内へ誤って指等を挿入し通電部に触れることによる感電を防止するための感電防止部３７６が設けられている。前記感電防止部３７６は、前記レセプタクルコンタクト収容孔３７４内の前記レセプタクルコンタクトの先端より嵌合側に近い位置に設けられる。本実施形態３では、前記感電防止部３７６は、前記レセプタクル嵌合部３５４及び前記レセプタクルハウジング３５２と一体に成型された電気絶縁性のプラスチックであるが、前述の役割を満たせればどのような形状や材質であってもよく、別体の部品であってもよい。
【０１１５】
また、前記レセプタクルハウジング３５２の嵌合側には、前記プラグコネクタ３１０との嵌合状態を検知するための第一及び第二検出用レセプタクルコンタクト３６４，３６５と、該第一及び第二検出用レセプタクルコンタクト３６４，３６５を収容する第一検出用レセプタクルコンタクト収容孔３９０とが設けられている。前記第一及び第二検出用レセプタクルコンタクト３６４，３６５は金属製であり、前述の役割を果たせれば、どのような形状・大きさ及び金属材料であってもよい。前記第一及び第二検出用レセプタクルコンタクト３６４，３６５の前記第一及び第二検出用レセプタクルコンタクト収容孔３９０への固定の仕方は、前記第一及び第二検出用レセプタクルコンタクト３６４，３６５が確実に固定できればどのような方法であってもよく、本実施形態３においてはランス（引っ掛け）により固定している。別の固定の仕方としては、圧入や溶着等が挙げられる。また、前記第一及び第二検出用レセプタクルコンタクト３６４，３６５の嵌合側の反対側には、それぞれ第一及び第二検出用ケーブル３７２，３７３が接続されている。本実施形態３では圧着接続により接続されているが、確実に接続・固定できればどのような手段でもよく、別の接続の仕方としては、圧接やはんだ付け等が挙げられる。なお、本実施形態３では、前述のように嵌合状態の検知回路を２系統としたが、どちらか１系統だけでもよい。
【０１１６】
また、前記レセプタクルハウジング３５２と前記プラグハウジング３１２との係合手段として、前記レセプタクルハウジング３５２の長手方向両側面の外側には、前記ハウジング係合突起３４２に対応する位置で、且つ、前記ハウジング係合突起３４２が係合する係止突起３８０が設けられている。前記プラグコネクタ３１０と前記レセプタクルコネクタ３５０とを非嵌合状態から嵌合させていき、前記ハウジング係合突起３４２が係止突起３８０に係合することを以って嵌合状態になる。なお、本実施形態では前述のような係合手段としたが、役割を満たせればどのような係合手段であってもよく、前記プラグコネクタ３１０との保持力や強度や加工性等を考慮して適宜設計する。
【０１１７】
また、前記レセプタクルハウジング３５２には、リアカバー３６８を前記レセプタクルハウジング３５２へ固定するためのリアカバー固定孔３７８が設けられている。前記リアカバー固定孔３７８の数は、前記リアカバー３６８が前記レセプタクルハウジング３５２に確実に固定できれば何箇所でもよく、本実施形態３においては４箇所である。また、前記レセプタクルハウジング３５２の長手方向両側面の外側には、レセプタクルコネクタ３５０を機器等へ取り付けるための取り付け用の孔をもつレセプタクルフランジ３５６を有する。前記レセプタクルフランジ３５６の位置や形状は、取り付ける機器等の形状や強度や加工性等を考慮して適宜設計する。
【０１１８】
ここで、前記外部接続用端子３６７について説明する。前記外部接続用端子３６７は金属製であり、公知技術のプレス加工によって製作されている。前記外部接続用端子３６７の材質としては、寸法安定性や加工性や強度や導電率やクリープ特性が要求されるので、黄銅やリン青銅やベリリウム合金やコルソン系合金等を挙げることができる。
【０１１９】
また、前記外部接続用端子３６７は、一方端で前記レセプタクルコンタクト３６６と接続し、他方端で前記バスバー（図示無し）等と接続する。本実施形態３においては、両端共にねじ留め用の略円形の孔を設け、前記レセプタクルコンタクト３６６及び前記バスバー（図示無し）とねじ留めにより接続・固定されるが、確実に接続・固定できればどのような手段でもよく、別の接続の仕方としては、圧接やはんだ付け等が挙げられる。
【０１２０】
ここで、前記リアカバー３６８について説明する。前記リアカバー３６８は電気絶縁性のプラスチックであり、公知技術の射出成形によって製作され、この材料としては寸法安定性や加工性や強度やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やこれらの合成材料等を挙げることができる。
【０１２１】
前記リアカバー３６８の役割としては、前記レセプタクルコネクタ３５０内の通電部に触れることによる感電や異物の侵入等の防止や接続対象物との台座等である。
【０１２２】
前記リアカバー３６８は、前記レセプタクルハウジング３５２の嵌合側の反対側を覆う面と、該面に第一，第二検出用ケーブル３７２，３７３及び前記外部接続用端子３６７を通すためのそれぞれの孔と、前記レセプタクルハウジング３５２の嵌合側の反対側へ固定するための手段と、前記レセプタクルハウジング３５２の嵌合側の反対側を覆う面から外側方向に突出し先端付近に前記外部接続用端子３６７と前記バスバー（図示無し）との接続・固定手段をもつ２つの突出部３６９とを有する。本実施形態３における前記レセプタクルハウジング３５２の嵌合側の反対側へ固定するための手段は、リアカバー固定突起３９２を４箇所に設け、前記リアカバー固定突起３９２を前記レセプタクルハウジング３５２のリアカバー固定孔３７８に係合させることによるが、前記リアカバー３６８が前記レセプタクルハウジング３５２に確実に固定できればどのような手段であってもよい。また、本実施形態３における前記外部接続用端子３６７と前記バスバー（図示無し）との接続・固定手段としては、前記突出部３６９の先端付近に第三ボルト３７９を挿入する孔と第三ナット３８１を収める凹部を設け、前記第三ボルト３７９を前記突出部３６９の孔と前記外部接続用端子３６７の孔へ挿入し、前記第三ナット３８１により前記突出部３６９へ固定し、さらに、前記第三ボルト３７９の先端に前記バスバー（図示無し）を接続しナット（図示無し）で固定することで、前記外部接続用端子３６７と前記バスバー（図示無し）とを接続・固定することができる。なお、本実施形態３では前述のような接続・固定手段としたが、役割を満たせればどのような接続・固定手段であってもよい。
【符号の説明】
【０１２３】
１００，２００，３００  電気コネクタ
１０６，２０６，３０６  ハウジング収容スペース
１０８，２０８，３０８  カップリング係合突起
１１０，２１０，３１０  プラグコネクタ
１１２，２１２，３１２  プラグハウジング
１１４，２１４，３１４  カップリング
１１６，２１６，３１６  プラグ嵌合部
１１８                  コンタクトストッパー挿入孔
１２０                  コンタクトストッパー
１２２，２２２，３２２  第一検出用プラグコンタクト
１２６，２２６，３２６  プラグコンタクト
１２８，２２８，３２８  ヒューズ
１３０，２３０，３３０  カップリング凸部
１３２，２３２，３３２  第一ボルト
１３４，２３４，３３４  ヒューズカバー
１３６                  プラグコンタクトスリット
１３８，２３８，３３８  ヒューズ固定用ネジ孔
１４０，２４０，３４０  ハウジング凸部
１４２，２４２，３４２  ハウジング係合突起
１４４，２４４，３４４  操作用突起
１４６                  コンタクトストッパー係止溝
１４８                  ストッパー突起部
１５０，２５０，３５０  レセプタクルコネクタ
１５２，２５２，３５２  レセプタクルハウジング
１５４，２５４，３５４  レセプタクル嵌合部
１５６，２５６，３５６  レセプタクルフランジ
１６０                  コンタクトストッパー挿入孔
１６２                  コンタクトストッパー
１６４，２６４，３６４  第一検出用レセプタクルコンタクト
１６６，２６６，３６６  レセプタクルコンタクト
１６８，２６８，３６８  リアカバー
１７０，２７０          電力用ケーブル
１７２，２７２，３７２  第一検出用ケーブル
１７４，２７４，３７４  レセプタクルコンタクト収容孔
１７６，２７６，３７６  感電防止部
１７８，２７８，３７８  リアカバー固定孔
１８０，２８０，３８０  係止突起
１８２                  コンタクトストッパー係止溝
１８４                  レセプタクルコンタクトスリット
１８６                  スペーサ
１８８                  ストッパー突起部
１９０，２９０，３９０  第一検出用レセプタクルコンタクト収容孔
１９２，２９２，３９２  リアカバー固定突起
１９４，２９４，３９４  嵌合口
２２４，３２４          第一ナット
２５８，３５８          係止孔
２９６，３９６          コンタクト固定用突起
３１５                  係止部
３１７                  プラグ嵌合部係合突起
３１９                  安全部品挿入溝
３２１                  安全部品
３２３                  第二検出用プラグコンタクト
３２５                  操作部
３２７                  アーム部
３２９                  安全部品係合突起
３６５                  第二検出用レセプタクルコンタクト
３６７                  外部接続用端子
３６９                  突出部
３７３                  第二検出用ケーブル
３７５                  第二ボルト
３７７                  第二ナット
３７９                  第三ボルト
３８１                  第三ナット
３９１                  第二検出用レセプタクルコンタクト収容孔
【図１】
2012182106.tif 000003
【図２】
2012182106.tif 000004
【図３】
2012182106.tif 000005
【図４】
2012182106.tif 000006
【図５】
2012182106.tif 000007
【図６】
2012182106.tif 000008
【図７】
2012182106.tif 000009
【図８】
2012182106.tif 000010
【図９】
2012182106.tif 000011
【図１０】
2012182106.tif 000012
【図１１】
2012182106.tif 000013
【図１２】
2012182106.tif 000014
【図１３】
2012182106.tif 000015
【図１４】
2012182106.tif 000016
【図１５】
2012182106.tif 000017
【図１６】
2012182106.tif 000018
【図１７】
2012182106.tif 000019
【図１８】
2012182106.tif 000020
【図１９】
2012182106.tif 000021
【図２０】
2012182106.tif 000022
【図２１】
2012182106.tif 000023
【図２２】
2012182106.tif 000024
【図２３】
2012182106.tif 000025
【図２４】
2012182106.tif 000026
【図２５】
2012182106.tif 000027
【図２６】
2012182106.tif 000028
【図２７】
2012182106.tif 000029
【図２８】
2012182106.tif 000030
【図２９】
2012182106.tif 000031
【図３０】
2012182106.tif 000032